(57)【要約】【課題】取扱が簡易でありながら、外部から侵入させた器具等による内側操作部の操作を困難とするようにして、サムターンの防犯性が高められてなるシリンダ錠などの錠を提供する。【解決手段】本発明の錠は、サムターン４を有するシリンダ錠などの錠であって、サムターン４が施錠時に防犯状態と通常状態とに切替可能とされてなることを特徴とするものである。本発明の錠においては、例えば、サムターン４が回転軸３に寝かされた状態と起立した状態とに切替可能に装着され、寝かされた状態が防犯状態とされてなるものである。【選択図】  図１
2004183209.tif 000002
【特許請求の範囲】
【請求項１】
サムターンを有する錠であって、施錠時にサムターンが防犯状態と通常状態とに切替可能とされてなることを特徴とする錠。
【請求項２】
サムターンが回転軸に寝かされた状態と起立した状態とに切替可能に装着され、寝かされた状態が防犯状態とされてなることを特徴とする請求項１記載の錠。
【請求項３】
環状の突枠が設けられ、該突枠にサムターンとの嵌合部が形成されてなることを特徴とする請求項２記載の錠。
【請求項４】
嵌合部にサムターンを固定する固定手段が設けられてなることを特徴とする請求項３記載の錠。
【発明の詳細な説明】
【０００１】
【発明の属する技術分野】
本発明は、シリンダ錠などの錠に関する。さらに詳しくは、サムターンの防犯性が向上されてなるシリンダ錠などの錠に関する。
【０００２】
【従来の技術】
従来より、玄関戸などに設けられるシリンダ錠は、鍵を用いることなく錠の開閉が可能なように内側操作部にシリンダの内筒を回動させるためのつまみ（以下、サムターンと称する）が設けられるのが通常である。
【０００３】
しかるに、近年の犯罪の増加に伴って空巣の手口も多様化し、特にガラス戸など（一部にガラスが用いられているものも含む）は錠近傍を破り、またはドアスコープを外してワイヤなどの器具を内部に侵入させ、これによりサムターンを回動させて開錠するといった粗雑な手口が横行するようになってきている。
【０００４】
このため、サムターンを取外し可能に構成し、外出時などにサムターンを取外すようにして外部からの操作ができないようにする錠機構が実施されている（トステム株式会社「お出かけサムターン」（商品名））。
【０００５】
しかしながら、この錠機構においては取外したサムターンの保管が煩雑なものとなり、また取外したサムターンを紛失するおそれがあるといった別の問題を生じている。
【０００６】
【発明が解決しようとする課題】
本発明はかかる従来技術の課題に鑑みなされたものであって、取扱が簡易でありながら、外部から侵入させた器具等による内側操作部の操作を困難とするようにして、サムターンの防犯性が高められてなるシリンダ錠などの錠を提供することを目的としている。
【０００７】
【課題を解決するための手段】
本発明の錠は、サムターンを有するシリンダ錠などの錠であって、施錠時にサムターンが防犯状態と通常状態とに切替可能とされてなることを特徴とする。
【０００８】
本発明のシリンダ錠などの錠においては、サムターンが回転軸に寝かされた状態と起立した状態とに切替可能に装着され、寝かされた状態が防犯状態とされてなるのが好ましい。
【０００９】
また、本発明のシリンダ錠などの錠においては、環状の突枠が設けられ、該突枠にサムターンとの嵌合部が形成されてなるのが好ましい。
【００１０】
さらに、本発明のシリンダ錠などの錠においては、嵌合部にサムターンを固定する固定手段が設けられてなるのが好ましい。
【００１１】
【作用】
本発明のシリンダ錠などの錠は、施錠時にサムターンが防犯状態と、通常状態とに切替可能とされているので、取り扱いの簡素化を図りながら防犯性が向上する。
【００１２】
【発明の実施の形態】
以下、添付図面を参照しながら本発明を実施形態に基づいて説明するが、本発明はかかる実施形態のみに限定されるものではない。
【００１３】
図１、図２および図３に、本発明の一実施形態に係るシリンダ錠（以下単に錠という）の概略構成を斜視図で示す。図１は、錠の内側操作部１における防犯性強化施錠状態を示す。図２は通常施錠状態示す。図３は開錠状態を示す。
【００１４】
また、図４に内側操作部１を平面図で示し、図５および図６に内側操作部１を分解図で示す。
【００１５】
図１〜図３に示すように、錠の内側操作部１は、シリンダの内筒２（図５参照）の一端面に突設される回転軸３に連結される板状のサムターン４（図６参照）と、錠の内部機構を覆うよう戸内側面に設けられるカバー５に一体的に形成される、回転軸３とサムターン４との連結部分を囲う環状の突枠（以下枠という）６とを備えてなるものとされる。なお、錠の外側操作部（戸の外側に設けられる鍵孔等）および内部機構は、公知のシリンダ錠が適宜適用可能であるため詳細説明は省略する。
【００１６】
回転軸３は、枠６により盆状に囲まれたカバー５の表面５ａから先端部を所定長さ突出させるようにして設けられ、この突出部分にサムターン４が連結される横孔からなる連結孔３ａが貫設されてなるものとされる。
【００１７】
サムターン４は、図４に矢印Ｌで示す方向に回動されて錠を開閉する一方で、図１に示す防犯性強化施錠状態と、図２に示す通常施錠状態との間で姿勢の切替えが可能なように構成されている。すなわち、サムターン４は、人の指により容易にカバー表面５ａ、つまり戸面と平行に寝た姿勢（防犯状態）（図１参照）と、垂直に立てられた姿勢（通常状態）（図２参照）とを切替えることができ、かつ外力が加わらない限り姿勢をそのまま保持するように回転軸３に連結されている。
【００１８】
例えば、図５および図６に示すように、回転軸３の連結孔３ａに係合されるサムターン４の連結軸４ａを連結孔３ａ内で回動可能な角軸とし、これの各面に半球状の凹部４ｂを設ける一方、連結孔３ａ内部に所定の係止力で凹部４ｂと弾性的に係合する突起（係止手段）３ｂを設けるようにして、サムターン４を姿勢の切替および保持が可能な状態で回転軸３に連結することが可能となる。なお、図５中、符号７はシリンダの外筒を示す。
【００１９】
枠６は、図１〜図４に示すように、環の一部をサムターン４の横幅に相当する長さに亘り欠落させるようにしてなる、サムターン嵌合部６ａが形成されてなるものとされる。
【００２０】
サムターン嵌合部６ａは、図２の通常状態においてサムターン４の姿勢をカバー５の表面５ａ上に寝かせるよう切替えたときに、つまり防犯状態としたときに、サムターン４が嵌合する所定位置（図示例では枠６の下側部分）に設けられるものとされる。また、図１に示すように、その姿勢でサムターン４の両側面がサムターン嵌合部６ａの両端面６ｂ、６ｂと当接し、これによりサムターン４の回動を阻止するよう構成されている。
【００２１】
したがって、この状態では外部からワイヤ等の器具を侵入させて、サムターン４を回動するといった手口が実施困難となり防犯性が強化される。
【００２２】
また、サムターン４をサムターン嵌合部６ａと嵌合するよう寝かせた状態でサムターン４の姿勢を、仮に固定する例えばスライドスイッチ式の固定手段を設け、スライドスイッチを所定位置に保持しなければ、サムターン４を立たせることができないよう構成することにより防犯性が一層向上する。
【００２３】
しかして、かかる構成の錠においては、錠の施錠状態においてサムターン４の姿勢を通常状態から、カバー表面５ａ、つまり戸面と平行に寝た状態（防犯状態）に切替えることができるので、外部から侵入させた器具などによりサムターン４を回動させて開錠することが困難となり防犯性が向上する。
【００２４】
以上、本発明を実施形態に基づいて説明してきたが、本発明はかかる実施形態のみに限定されるものではなく、種々改変が可能である。例えば、実施形態ではシリンダ錠を例に採り説明されているが、本発明の適用はシリンダ錠に限定されるものではなく、サムターンを有する各種錠に適用が可能である。
【００２５】
【発明の効果】
以上詳述したように、本発明のシリンダ錠などの錠は、施錠時にサムターンが防犯状態と通常状態とに切替可能とされているので、取り扱いの簡素化を図りながら防犯性が向上するという優れた効果を奏する。
【図面の簡単な説明】
【図１】本発明の一実施形態に係るシリンダ錠の要部である内側操作部を示す斜視図であり、防犯状態を示す。
【図２】同様の斜視図であり、通常状態を示す。
【図３】同様の斜視図であり、開錠状態を示す。
【図４】同シリンダ錠内側操作部の平面図である。
【図５】同シリンダ錠内側操作部のサムターンの姿勢切替機構の一例における内筒回転軸の詳細図である。
【図６】同例におけるサムターンの詳細図である。
【符号の説明】
１      内側操作部
２      内筒
３      回転軸
４      サムターン
５      カバー
６      突枠
６ａ    サムターン嵌合部
７      外筒
【図１】
2004183209.tif 000003
【図２】
2004183209.tif 000004
【図３】
2004183209.tif 000005
【図４】
2004183209.tif 000006
【図５】
2004183209.tif 000007
【図６】
2004183209.tif 000008